(57)【要約】【課題】サイクリックプリフィックスを用いるＯＦＤＭ信号に干渉を与えないような、サイクリックプリフィックスを用いないＯＦＤＭ信号を生成すること。【解決手段】他の装置によってサイクリックプリフィックスを用いる第１のＯＦＤＭ信号が送信されている間に、サイクリックプリフィックスを用いない第２のＯＦＤＭ信号を送信することができる通信装置は、第１のＯＦＤＭ信号の受信装置において、その第１のＯＦＤＭ信号からサイクリックプリフィックスを除去する際に用いるウィンドウのタイミングに関する情報を取得し、ウィンドウが開始される第１のタイミングにおいて第２のＯＦＤＭ信号の受信装置における振幅が所定値以下となるように、第２のＯＦＤＭ信号の１つ以上の送信シンボルを生成し、生成された１つ以上の送信シンボルを含む第２のＯＦＤＭ信号を送信する。【選択図】  図３
2018014687.tif 000002
【特許請求の範囲】
【請求項１】
他の装置によってサイクリックプリフィックスを用いる第１の直交周波数分割多重（ＯＦＤＭ）信号が送信されている間に、サイクリックプリフィックスを用いない第２のＯＦＤＭ信号を送信することができる通信装置であって、
前記第１のＯＦＤＭ信号の受信装置において、当該第１のＯＦＤＭ信号から前記サイクリックプリフィックスを除去する際に用いるウィンドウのタイミングに関する情報を取得する取得手段と、
前記ウィンドウが開始される第１のタイミングにおいて前記第２のＯＦＤＭ信号の前記受信装置における振幅が所定値以下となるように、前記第２のＯＦＤＭ信号の１つ以上の送信シンボルを生成する生成手段と、
前記生成手段によって生成された前記１つ以上の送信シンボルを含む前記第２のＯＦＤＭ信号を送信する送信手段と、
を有する通信装置。
【請求項２】
前記生成手段は、前記第２のＯＦＤＭ信号の１つのシンボルを、前記第１のタイミングの前で、かつ、当該シンボルの前のシンボルの期間の後においても、前記第２のＯＦＤＭ信号の前記受信装置における振幅が所定値以下となるように、生成する、
ことを特徴とする請求項１に記載の通信装置。
【請求項３】
前記生成手段は、前記第２のＯＦＤＭ信号の１つのシンボルを、前記第１のタイミングの前で、かつ、当該シンボルの前のシンボルの期間の後においては、前記第２のＯＦＤＭ信号の前記受信装置における振幅を制限することなく、生成する、
ことを特徴とする請求項１に記載の通信装置。
【請求項４】
前記生成手段は、さらに前記ウィンドウが終了する第２のタイミングにおいて前記第２のＯＦＤＭ信号の前記受信装置における振幅が所定値以下となるように、前記第２のＯＦＤＭ信号の１つ以上の送信シンボルを生成する、
ことを特徴とする請求項１から３のいずれか１項に記載の通信装置。
【請求項５】
前記生成手段は、前記第２のＯＦＤＭ信号の１つのシンボルを、前記第２のタイミングの後で、かつ、当該シンボルの後のシンボルの期間の前においても、前記第２のＯＦＤＭ信号の前記受信装置における振幅が所定値以下となるように、生成する、
ことを特徴とする請求項４に記載の通信装置。
【請求項６】
前記生成手段は、前記第２のＯＦＤＭ信号の１つのシンボルを、前記第２のタイミングの後で、かつ、当該シンボルの後のシンボルの期間の前においては、前記第２のＯＦＤＭ信号の前記受信装置における振幅を制限することなく、生成する、
ことを特徴とする請求項４に記載の通信装置。
【請求項７】
前記第１のＯＦＤＭ信号と前記第２のＯＦＤＭ信号とは、周波数分割多重により同時に送信される信号である、
ことを特徴とする請求項１から６のいずれか１項に記載の通信装置。
【請求項８】
他の装置によってサイクリックプリフィックスを用いる第１の直交周波数分割多重（ＯＦＤＭ）信号が送信されている間に、サイクリックプリフィックスを用いない第２のＯＦＤＭ信号を送信することができる通信装置の制御方法であって、
前記第１のＯＦＤＭ信号の受信装置において、当該第１のＯＦＤＭ信号から前記サイクリックプリフィックスを除去する際に用いるウィンドウのタイミングに関する情報を取得する取得工程と、
前記ウィンドウが開始される第１のタイミングにおいて前記第２のＯＦＤＭ信号の前記受信装置における振幅が所定値以下となるように、前記第２のＯＦＤＭ信号の１つ以上の送信シンボルを生成する生成工程と、
前記生成工程において生成された前記１つ以上の送信シンボルを含む前記第２のＯＦＤＭ信号を送信する送信工程と、
を有する制御方法。
【請求項９】
他の装置によってサイクリックプリフィックスを用いる第１の直交周波数分割多重（ＯＦＤＭ）信号が送信されている間に、サイクリックプリフィックスを用いない第２のＯＦＤＭ信号を送信することができる通信装置に備えられたコンピュータに、
前記第１のＯＦＤＭ信号の受信装置において、当該第１のＯＦＤＭ信号から前記サイクリックプリフィックスを除去する際に用いるウィンドウのタイミングに関する情報を取得する取得工程と、
前記ウィンドウが開始される第１のタイミングにおいて前記第２のＯＦＤＭ信号の前記受信装置における振幅が所定値以下となるように、前記第２のＯＦＤＭ信号の１つ以上の送信シンボルを生成する生成工程と、
前記生成工程において生成された前記１つ以上の送信シンボルを含む前記第２のＯＦＤＭ信号を送信する送信工程と、
を実行させるためのプログラム。
【発明の詳細な説明】
【技術分野】
【０００１】
本発明は無線通信システムにおける干渉制御技術に関する。
【背景技術】
【０００２】
現在、次世代の移動体無線通信方式として、サイクリックプリフィックスを用いない直交周波数分割多重（ＯＦＤＭ）信号を利用する通信方式が提案されている（非特許文献１）。一方、導入の開始時点においては、次世代の通信方式の信号が、サイクリックプリフィックスを用いるＯＦＤＭ信号を利用する現世代の通信方式の信号と、同一周波数帯域の異なる周波数チャネルで送信されることが想定される。また、次世代の通信方式の信号として、サイクリックプリフィックスを用いるＯＦＤＭ信号とサイクリックプリフィックスを用いないＯＦＤＭ信号とが同一周波数帯で共存することも想定されうる。
【先行技術文献】
【非特許文献】
【０００３】
【非特許文献１】Ｔｈｏｒｓｔｅｎ．Ｗ等、「ユニバーサルフィルタード（ＵＦ−）ＯＦＤＭに基づく５Ｇエアインタフェースデザイン（５Ｇ  Ａｉｒ  Ｉｎｔｅｒｆａｃｅ  Ｄｅｓｉｇｎ  ｂａｓｅｄ  ｏｎ  Ｕｎｉｖｅｒｓａｌ  Ｆｉｌｔｅｒｅｄ  （ＵＦ−）ＯＦＤＭ）」、Ｉｎｔｅｒｎａｔｉｏｎａｌ  Ｃｏｎｆｅｒｅｎｃｅ  ｏｎ  Ｄｉｇｉｔａｌ  Ｓｉｇｎａｌ  Ｐｒｏｃｅｓｓｉｎｇ、２０１４年８月
【発明の概要】
【発明が解決しようとする課題】
【０００４】
受信装置は、同じ時間区間において受信された同一周波数帯に含まれる複数のＯＦＤＭ信号の復調処理を同時に実行する。このとき、受信装置においては、サイクリックプリフィックスを用いる第１のＯＦＤＭ信号とサイクリックプリフィックスを用いない第２のＯＦＤＭ信号とが、同時に受信される場合がありうる。ここで、受信装置は、第１のＯＦＤＭ信号の復調をするものとする。この場合、受信装置は、第１のＯＦＤＭ信号からサイクリックプリフィックスを除去して離散フーリエ変換を施す受信処理を実行する。一方、受信装置は、第１のＯＦＤＭ信号と同時に第２のＯＦＤＭ信号をも受信しており、第１のＯＦＤＭ信号の受信処理と同時に、第２のＯＦＤＭ信号に対しても第１のＯＦＤＭ信号に対する受信処理を実行することとなる。このとき、第２のＯＦＤＭ信号から、第１のＯＦＤＭ信号のサイクリックプリフィックスの時間区間の成分を除去すると、サイクリックプリフィックス除去後の第２のＯＦＤＭ信号が直交性を失い、結果として第１のＯＦＤＭ信号に干渉してしまいうる。
【０００５】
本発明は上記課題に鑑みなされたものであり、サイクリックプリフィックスを用いるＯＦＤＭ信号に干渉を与えないような、サイクリックプリフィックスを用いないＯＦＤＭ信号を生成することを目的とする。
【課題を解決するための手段】
【０００６】
上記目的を達成するため、本発明に係る通信装置は、他の装置によってサイクリックプリフィックスを用いる第１の直交周波数分割多重（ＯＦＤＭ）信号が送信されている間に、サイクリックプリフィックスを用いない第２のＯＦＤＭ信号を送信することができる通信装置であって、前記第１のＯＦＤＭ信号の受信装置において、当該第１のＯＦＤＭ信号から前記サイクリックプリフィックスを除去する際に用いるウィンドウのタイミングに関する情報を取得する取得手段と、前記ウィンドウが開始される第１のタイミングにおいて前記第２のＯＦＤＭ信号の前記受信装置における振幅が所定値以下となるように、前記第２のＯＦＤＭ信号の１つ以上の送信シンボルを生成する生成手段と、前記生成手段によって生成された前記１つ以上の送信シンボルを含む前記第２のＯＦＤＭ信号を送信する送信手段と、を有する。
【発明の効果】
【０００７】
本発明によれば、サイクリックプリフィックスを用いるＯＦＤＭ信号に干渉を与えないような、サイクリックプリフィックスを用いないＯＦＤＭ信号を生成することができる。
【図面の簡単な説明】
【０００８】
【図１】無線通信システムの構成例を示す図。
【図２】サイクリックプリフィックスを用いるＯＦＤＭ信号とサイクリックプリフィックスを用いないＯＦＤＭ信号とが受信される際の課題を説明する図。
【図３】送信装置におけるサイクリックプリフィックスを用いないＯＦＤＭ信号の生成方法の概念を示す図。
【図４】送信装置のハードウェア構成例を示す図。
【図５】送信装置の機能構成例を示すブロック図。
【図６】信号生成部の構成例を示すブロック図。
【図７】送信装置が実行する処理の流れの例を示す図。
【発明を実施するための形態】
【０００９】
以下、本発明の実施の形態について、図面を参照しながら説明する。
【００１０】
（無線通信システムの構成）
図１は、本実施形態に係る無線通信システムの構成例を示す図である。図１の無線通信システムは、一例として、２つの送信装置と、２つの受信装置を含んでいる。なお、これは一例であり、送信装置及び受信装置は３つ以上又は１つのみ存在してもよい。図１において、第１の送信装置は、サイクリックプリフィックス（ＣＰ）を用いる第１の直交周波数分割多重（ＯＦＤＭ）信号を送信し、第２の送信装置は、ＣＰを用いない第２のＯＦＤＭ信号を送信するものとする。また、第１の受信装置は、第１のＯＦＤＭ信号の宛先の受信装置であり、第１のＯＦＤＭ信号と第２のＯＦＤＭ信号とを同時に受信するものとする。第２の受信装置は、第２のＯＦＤＭ信号の宛先の受信装置である。なお、図１では省略しているが、第２の受信装置は、第２のＯＦＤＭ信号とともに第１のＯＦＤＭ信号を受信しうる。送信装置及び受信装置は、例えば、一方が基地局装置であり、他方が移動体又は固定の端末装置でありうるが、両方が端末装置であってもよく、これらの例に限られない。
【００１１】
なお、ここでのＯＦＤＭ信号とは、互いに直交するキャリアを用いた信号全般を指し、ＤＦＴ−Ｓ−ＯＦＤＭ（ＤＦＴスプレッドＯＦＤＭ）等をも含む概念である。
【００１２】
また、以下の説明では、図１の無線通信システムが時間同期システムであるものとするが、これに限られない。例えば、第２の送信装置が、第１の受信装置において第１のＯＦＤＭ信号のＣＰを除去するためのウィンドウのタイミングに関する情報に応じて、第２のＯＦＤＭ信号を制御することができる前提において、非同期システムが用いられうる。ここで、ＣＰを除去するためのウィンドウとは、受信装置がフーリエ変換の対象とする時間領域の成分を抽出する時間区間のことを指す。
【００１３】
第１のＯＦＤＭ信号と第２のＯＦＤＭ信号は、例えば、８００ＭＨｚ帯、２ＧＨｚ帯、３〜４ＧＨｚ帯等の周波数帯のうちの１つにおいて、周波数分割多重によって同時に送信されうる。受信装置は、同一周波数帯の信号を一括して受信処理する。例えば、第１の受信装置は、自身が第１のＯＦＤＭ信号を受信する装置であるため、第１のＯＦＤＭ信号に含まれる１つ以上のシンボルのそれぞれにおいて、ＣＰを除去して、ＣＰの除去後のシンボルに対して離散フーリエ変換（ＤＦＴ）を実行する。
【００１４】
このとき、第１の受信装置は、同一の周波数帯で、第２のＯＦＤＭ信号を同時に受信する場合がある。この場合、第２のＯＦＤＭ信号は、時間領域において第１のＯＦＤＭ信号と重畳して受信されるため、時間領域における処理であるＣＰ除去は、第２のＯＦＤＭ信号に対しても実行されることとなる。すなわち、第２のＯＦＤＭ信号は、第１のＯＦＤＭ信号のＣＰに対応する区間の信号成分が除去されて、ＤＦＴを施されることとなる。ここで、第２のＯＦＤＭ信号に対してそのような信号成分の除去を行うと、本来担保されていた直交性が崩れ、第２のＯＦＤＭ信号の周波数成分が隣接する周波数帯域に漏れ込み、周波数軸上で分離されていた第１のＯＦＤＭ信号に干渉してしまいうる。これは、上述のウィンドウの開始タイミングと終了タイミングとにおける第２のＯＦＤＭ信号の成分が不連続となることに起因する。この状態を、概略的に図２に示す。図２の左側に示すように、第１のＯＦＤＭ信号および第２のＯＦＤＭ信号は、無線区間において、周波数分割多重によって、周波数成分が互いに重なることなく送信される。このため、第２のＯＦＤＭ信号は、無線区間において第１のＯＦＤＭ信号に干渉することはない。これは、第２のＯＦＤＭ信号のシンボルの開始タイミングと終了タイミングにおける振幅が連続しているからである。これに対して、図２の右側に示すように、第１のＯＦＤＭ信号の受信装置が、ＣＰを除去すると、同時に第２のＯＦＤＭ信号のそのＣＰに対応する時間区間の成分が除去される。この結果、第２のＯＦＤＭ信号の振幅が不連続となり、第２のＯＦＤＭ信号の周波数成分が拡散し、第１のＯＦＤＭ信号に対して干渉を与えることとなってしまう。
【００１５】
本実施形態では、このような干渉を防ぐために、第２の送信装置が、上述の不連続性を抑えるようにして第２のＯＦＤＭ信号を生成するようにする。ここで、第２のＯＦＤＭ信号は、ＯＦＤＭ信号を所定のフィルタによって帯域制限して得られたものとし、第１のＯＦＤＭ信号と同じ時間長を有するものとする。そして、第１のＯＦＤＭ信号と第２のＯＦＤＭ信号とが同期して送信されるものとする。このとき、第１のＯＦＤＭ信号の受信処理でＣＰ除去の際に用いられるウィンドウの終了タイミングが、第１のＯＦＤＭ信号の主波の２つのシンボルの間の境界であるものとすると、そのタイミングにおいて第２のＯＦＤＭ信号の主波の振幅は（ほぼ）ゼロとなる。したがって、この場合、図３（ａ）に示すように、第２の送信装置は、第１の受信装置での受信処理におけるウィンドウの開始タイミングにおける第２のＯＦＤＭ信号の振幅を、十分に小さい所定値以下（ほぼゼロ）となるようにする。これにより、第２のＯＦＤＭ信号は、第１のＯＦＤＭ信号のＣＰ除去によって、一部の信号成分が除去されたとしても、信号の連続性が担保され、結果として、第２のＯＦＤＭ信号の周波数成分が隣接する周波数帯域に漏れ込む量が低減される。
【００１６】
また、例えば非同期システムにおいては、上述のウィンドウの終了タイミングにおいて、第２のＯＦＤＭ信号の第１の受信装置における受信振幅が（ほぼ）ゼロでない場合がありうる。このため、第２の送信装置は、図３（ｂ）に示すように、ウィンドウの終了タイミングにおいて、第２のＯＦＤＭ信号の第１の受信装置における受信振幅が十分に小さい所定値以下となるように、信号生成を行ってもよい。
【００１７】
なお、第２の送信装置は、上述のウィンドウの開始タイミング又は終了タイミングのみにおいて第１の受信装置での受信振幅が所定値以下となるように第２のＯＦＤＭ信号を生成しうるが、これに限られない。例えば、第２の送信装置は、図３（ｃ）に示すように、あるシンボルに関するウィンドウの開始タイミングより前で、そのシンボルの前のシンボルの期間の後の区間で、第１の受信装置での受信振幅が所定値以下となるように第２のＯＦＤＭ信号を生成してもよい。また、第２の送信装置は、図３（ｄ）に示すように、あるシンボルに関するウィンドウの終了タイミングより後で、そのシンボルの後のシンボルの期間の前の区間で、第１の受信装置での受信振幅が所定値以下となるように第２のＯＦＤＭ信号を生成してもよい。
【００１８】
以上のようにすることで、第１のＯＦＤＭ信号に関するＣＰを除去したことに伴って、第２のＯＦＤＭ信号の一部が除去されたとしても、直交性の崩れを抑え、第２のＯＦＤＭ信号からの第１のＯＦＤＭ信号への干渉を抑制することができる。以下では、このような第２の送信装置の構成と処理の流れについて詳細に説明する。
【００１９】
（ハードウェア構成）
図４に、上述の第２の送信装置のハードウェア構成例を示す。なお、以下では、第２の送信装置のことを、特に限定する必要がない場合には送信装置と呼ぶ。送信装置は、一例において、図４に示すようなハードウェア構成を有し、例えば、ＣＰＵ４０１、ＲＯＭ４０２、ＲＡＭ４０３、外部記憶装置４０４、及び通信装置４０５を有する。送信装置では、例えばＲＯＭ４０２、ＲＡＭ４０３及び外部記憶装置４０４のいずれかに記録された、上述のような第２の送信装置の各機能を実現するプログラムがＣＰＵ４０１により実行される。ここで、ＣＰＵ４０１はプロセッサの例であり、ＡＳＩＣ（特定用途向け集積回路）等の他のプロセッサによって置き換えられてもよいし、ＦＰＧＡ（フィールドプログラマブルゲートアレイ）等の再構成可能なプロセッサによって置き換えられてもよい。
【００２０】
そして、送信装置は、例えばＣＰＵ４０１により通信装置４０５を制御して、他の装置と通信を行う。なお、通信装置４０５は、少なくともＣＰを用いないＯＦＤＭ信号を送信することができるほか、信号の受信を行うこともでき、場合によってはＣＰを用いるＯＦＤＭ信号や、他の無線通信方式の信号を送信および受信できるように構成されてもよい。また、通信装置４０５は、１つの周波数帯のみならず、複数の周波数帯において信号を送信できてもよく、例えばセルラの通信方式と無線ＬＡＮの通信方式との両者を利用可能であってもよい。さらに、通信装置４０５は、有線通信を行うことができるように構成されてもよい。なお、図４の構成において、送信装置は、１つの通信装置４０５を有するような概略図を示しているが、これに限られない。例えば、送信装置は、セルラ通信用の第１の通信装置と無線ＬＡＮ通信用の第２の通信装置とを有しうる。また、送信装置は、有線通信用と無線通信用とで、別個の通信装置を有しうる。
【００２１】
なお、送信装置は、各機能を実行する専用のハードウェアを備えてもよいし、一部をハードウェアで実行し、プログラムを動作させるコンピュータでその他の部分を実行してもよい。また、送信装置の全機能がコンピュータとプログラムにより実行されてもよい。
【００２２】
（機能構成）
図５は、本実施形態に係る送信装置の機能構成例を示す図である。送信装置は、一例において、送信部５０１、受信部５０２、タイミング取得部５０３、および信号生成部５０４を有する。なお、送信装置は、例えば送信装置を含む情報処理機器が有する様々な機能等の不図示の機能を有してもよく、少なくとも、セルラ通信における基地局装置または端末装置のいずれかの機能を有するものとする。
【００２３】
送信部５０１は後述の信号生成部５０４が生成した上述の第２のＯＦＤＭ信号を送信する。送信部５０１は、例えば、アンテナとそのアンテナを介して無線信号を出力するために用いられる回路とを含んで構成される。受信部５０２は、他の装置が送信した無線信号を受信する。受信部５０２は、例えば、アンテナと、そのアンテナを介して受信した無線信号を処理してデータを取り出すための回路とを含んで構成される。なお、送信部５０１と受信部５０２は、１つ以上のアンテナと回路とを共有しうる。
【００２４】
タイミング取得部５０３は、上述の第１のＯＦＤＭ信号の受信装置において、ＣＰを除去する際に用いるウィンドウの開始タイミングと終了タイミングとの少なくともいずれかに関する情報を取得する。
【００２５】
例えば、送信装置が基地局装置である場合、下り信号を基地局間で同期して送信することができるため、自身が第１のＯＦＤＭ信号を送信した場合の、ＣＰ部分の終了タイミングを、ウィンドウの開始タイミングとして特定することができる。また、同様にして、送信装置は、シンボルの境界を、ウィンドウの終了タイミングとして特定することができる。送信装置は、自身が基地局装置である場合、このウィンドウのタイミングの特定を、送信装置が実際に第１のＯＦＤＭ信号を送信すると否とによらず行うことができる。
【００２６】
一方、送信装置は、自身が端末装置である場合、例えば基地局装置から受信したタイミングアドバンス信号等に基づいて、第１のＯＦＤＭ信号に関する上述のウィンドウのタイミングを推定することができる。この場合、送信装置は、タイミングアドバンス信号によって、自身が送信する第２のＯＦＤＭ信号が、他の装置が送信する第１のＯＦＤＭ信号と基地局装置において同期して受信されると想定することができる。このため、送信装置は、自身が送信する第２のＯＦＤＭ信号の１つ以上のシンボルが、第１のＯＦＤＭ信号のシンボルと同じタイミングで受信されるものとして、第１のＯＦＤＭ信号のＣＰの終了タイミングをウィンドウの開始タイミングとして推定しうる。同様に、送信装置は、第１のＯＦＤＭ信号のシンボルの境界をウィンドウの終了タイミングとして推定しうる。
【００２７】
なお、送信装置は、自身が基地局装置であっても端末装置であっても、ウィンドウのタイミングを直接または間接的に指定する情報を、自身の通信の相手装置である受信装置から取得してもよい。また、例えば、第２の送信装置は、第１の送信装置からウィンドウのタイミングに関する情報を取得してもよい。
【００２８】
信号生成部５０４は、タイミング取得部５０３において取得した、第１のＯＦＤＭ信号の受信装置におけるウィンドウのタイミングに関する情報に基づいて、第２のＯＦＤＭ信号を生成する。具体的には、信号生成部５０４は、上述のように、ウィンドウの開始タイミングと終了タイミングとの少なくともいずれかでの、第１のＯＦＤＭ信号の受信装置における第２のＯＦＤＭ信号の受信振幅が所定値以下となるように、第２のＯＦＤＭ信号を生成する。なお、信号生成部５０４は、ウィンドウの開始タイミングより前で、前のシンボル区間の終了タイミングより後の区間においても、上述の受信振幅が所定値以下となるようにしてもよい。また、信号生成部５０４は、ウィンドウの開始タイミングより後で、後のシンボル区間の開始タイミングより後の区間においても、上述の受信振幅が所定値以下となるようにしてもよい。さらに、信号生成部５０４は、ウィンドウの開始タイミングと終了タイミングとの少なくともいずれかを含む、例えば遅延プロファイルに基づいて定められる所定長の区間において、上述の受信振幅が所定値以下となるように第２のＯＦＤＭ信号を生成してもよい。
【００２９】
Ｕｎｉｖｅｒｓａｌ  Ｆｉｌｔｅｒｅｄ（ＵＦ）−ＯＦＤＭが用いられた場合の、信号生成部５０４の構成について図６を用いて説明する。まず、信号生成部５０４は、一時変調シンボルを生成する。信号生成部５０４は、例えば、送信対象のビット列を、ＱＰＳＫ、１６ＱＡＭ、６４ＱＡＭ等の変調方式によってＩＱ平面上の点へマッピングすることによって、一時変調シンボルを得る。なお、一時変調シンボルは、時間領域の信号に相当し、シリアル／パラレル変換器（Ｓ／Ｐ変換器）へ入力されて並列化された後に、ＭポイントＤＦＴ（離散フーリエ変換器）へと入力される。このとき、上述のように、信号生成部５０４は、一定のタイミングにおいて、第１のＯＦＤＭ信号の受信装置が第２のＯＦＤＭ信号を受信した場合の受信振幅が所定値以下となるように生成する。このため、信号生成部５０４は、その一定のタイミングに対応する送信シンボルとして「０」を挿入する。このため、信号生成部５０４は、例えばｈ個の「０」を挿入する場合には、Ｍ−ｈ個の一時変調シンボルを生成する。
【００３０】
その後、一部において「０」が挿入されて並列化された一時変調シンボルは、ＭポイントＤＦＴによって、Ｍ個のサンプルからなる周波数領域の信号に変換される。そして、周波数領域の信号に変換された信号は、ＵＦ−ＯＦＤＭ変調器へと入力される。ここで、ＵＦ−ＯＦＤＭ変調器では、入力された周波数領域の信号を、複数のＮポイントＩＤＦＴ（逆離散フーリエ変換器）に分散して入力する。ＩＤＦＴでは、周波数領域の信号を時間領域の信号に変換して出力する。ここで、複数のＩＤＦＴは互いに異なるサブバンドに対応し、例えば、ＩＤＦＴがＢ個存在する場合は、Ｍ個のサンプルは例えばＭ／Ｂ個ずつ各ＩＤＦＴに入力され、Ｂ個のサブバンドに分散されて送信される。各ＩＤＦＴの出力は、長さＬのフィルタによって帯域制限された後に加算されて送信される。ここで、フィルタによって、ＣＰを用いるＯＦＤＭ信号と同じ時間長の、ＣＰを用いないＯＦＤＭ信号を生成することができる。なお、Ｍ＜Ｎであるため、ＮポイントＩＤＦＴには、上述のＭポイントＤＦＴの出力のみならず、その少なくとも一部において「０」または他の信号に関するサンプルが入力される。
【００３１】
このとき、ＭポイントＤＦＴによって出力された信号は、ＮポイントＩＤＦＴを経ることによって、Ｎ／Ｍ倍にオーバーサンプリングした状態となる。このため、例えば、ＭポイントＤＦＴに入力されるｉ番目のサンプルは、ＩＤＦＴの出力におけるｉ×Ｎ／Ｍ番目のサンプルとなる。このことから、例えば、ＭポイントＤＦＴにおける入力のうち、ｋ×Ｍ／Ｎ番目のサンプルを０とすることによって、ＮポイントＩＤＦＴの出力のｋ番目のサンプルの振幅を所定値以下とすることができる。ＩＤＦＴが出力するサンプルは、フィルタによって帯域制限された後に無線信号として送信される時間領域の信号である。このため、信号生成部５０４は、フィルタ後の信号について、上述のタイミング取得部５０３が取得した情報に基づくタイミングで振幅が十分に小さくなるように、フィルタの影響も考慮して、ＭポイントＤＦＴへの入力において「０」を挿入する位置を調整する。例えば、最終的な信号のｐサンプル目の振幅を小さくする場合であって、フィルタによってＬサンプルだけ遅延する場合、ＭポイントＤＦＴにおける入力のうち、（ｐ−Ｌ）×Ｍ／Ｎ番目のサンプルを０とする。
【００３２】
このように、信号生成部５０４は、第１のＯＦＤＭ信号の受信装置における、ＣＰを除去する際に用いるウィンドウの開始タイミング／終了タイミングでの第２のＯＦＤＭ信号の受信振幅が所定値以下となるように、第２のＯＦＤＭ信号を生成することができる。
【００３３】
（処理の流れ）
次に、送信装置が実行する処理の流れについて、図７を用いて説明する。送信装置は、まず、第２のＯＦＤＭ信号を生成するのに先立って、第１のＯＦＤＭ信号の受信装置における、第１のＯＦＤＭ信号のＣＰ除去に用いられるウィンドウのタイミングに関する情報を取得する（Ｓ７０１）。送信装置は、例えば、第１のＯＦＤＭ信号の受信装置が実際に用いるウィンドウのタイミングに関する情報を、その受信装置からの通知を受けることによって取得しうる。また、送信装置は、例えば、タイミングアドバンス信号等に基づいて、受信装置におけるウィンドウのタイミングを推定してもよい。さらに、送信装置は、第１のＯＦＤＭ信号のシンボルと第２のＯＦＤＭ信号のシンボルとの間で同期がとれている場合には、第１のＯＦＤＭ信号のＣＰのタイミングを知ることができるため、そのタイミングからウィンドウのタイミングを推定してもよい。
【００３４】
その後、送信装置は、取得した情報に基づいて特定されたウィンドウの開始タイミングと終了タイミングとの少なくともいずれかでの、第１のＯＦＤＭ信号の受信装置における受信振幅が所定値以下となるように、第２のＯＦＤＭ信号を生成する（Ｓ７０２）。送信装置は、例えば、図３（ａ）〜図３（ｄ）のように、ウィンドウの開始タイミングと終了タイミングとにおいて、第２のＯＦＤＭ信号の振幅に生じる不連続性を低減するような、任意の形式で、第２のＯＦＤＭ信号を生成しうる。
【００３５】
このようにして、本実施形態に係る送信装置は、第１のＯＦＤＭ信号の受信／復調処理において、第２のＯＦＤＭ信号が第１のＯＦＤＭ信号へ干渉を与えないようにすること、または干渉量を十分に小さくすることができる。したがって、ＣＰを有する第１のＯＦＤＭ信号とＣＰを有しない第２のＯＦＤＭ信号とが、周波数分割多重によって同時に送信されるときの品質劣化や周波数利用効率の劣化を抑えることができる。
【図１】
2018014687.tif 000003
【図２】
2018014687.tif 000004
【図３】
2018014687.tif 000005
【図４】
2018014687.tif 000006
【図５】
2018014687.tif 000007
【図６】
2018014687.tif 000008
【図７】
2018014687.tif 000009